(57)【特許請求の範囲】
【請求項１】
基材上に第１の方向に沿って伸びるように形成され、部分的に角度を異にすることによって第１の図柄を表した万線模様、レリーフ模様、又は万線模様とレリーフ模様双方の模様と、
上記第１の方向と異なる第２の方向に沿って伸びるように形成され、部分的に角度を異にすることによって第２の図柄を表した万線模様、レリーフ模様、又は万線模様とレリーフ模様の双方の模様を構成する凹版印刷隆起画線と、
上記凹版印刷隆起画線の形成された上記基材上に、該第１の図柄を表した模様の凹版印刷隆起画線に対して平行又は傾斜を持たせて印刷された第１の印刷画線と、
上記凹版印刷隆起画線の形成された上記基材上に、該第２の図柄を表した模様の凹版印刷隆起画線に対して平行又は傾斜を持たせて印刷された第２の印刷画線とを備え、
上記基材を、第１の方向と直交する方向又はその逆方向から斜めに観察すると第１の潜像模様を認識することができ、
上記基材を、第２の方向と直交する方向又はその逆方向から斜めに観察すると第２の潜像模様を認識することができることを特徴とする特殊潜像模様形成体。
【請求項２】
上記第１の図柄と第２の図柄は互いに同じ図柄であることを特徴とする請求項１記載の特殊潜像模様形成体。
【請求項３】
上記第１の図柄と第２の図柄は互いに異なる図柄であることを特徴とする請求項１記載の特殊潜像模様形成体。
【請求項４】
上記第１の印刷画線と上記第２の印刷画線は、万線画線であることを特徴とする請求項１、２又は３記載の特殊潜像模様形成体。
【請求項５】
上記万線画線は、夫々段階的に幅を変化させて図柄を表すことを特徴とする請求項４記載の特殊潜像模様形成体。
【請求項６】
上記万線画線は、夫々連続的に幅を変化させて図柄を表すことを特徴とする請求項４記載の特殊潜像模様形成体。
【請求項７】
上記第１の印刷画線と上記第２の印刷画線は、夫々万線状に配列された点列から成ることを特徴とする請求項１、２又は３記載の特殊潜像模様形成体。
【請求項８】
上記第１の印刷画線と上記第２の印刷画線は、夫々万線状に配列された点の粗密で図柄を表す点列から成ることを特徴とする請求項１、２又は３記載の特殊潜像模様形成体。
【請求項９】
上記第１の印刷画線と上記第２の印刷画線は、夫々万線状に配列された点の大小で図柄を表す点列から成ることを特徴とする請求項１、２又は３記載の特殊潜像模様形成体。
【請求項１０】
上記第１の印刷画線と上記第２の印刷画線は、夫々万線状に配列された点の粗密、大小又は粗密及び大小で図柄を表す点列から成ることを特徴とする請求項１、２又は３記載の特殊潜像模様形成体。
【請求項１１】
上記第１の印刷画線と上記第２の印刷画線は、夫々点列の粗密、大小又は粗密及び大小が断続的に変化して印刷されていることを特徴とする請求項１０記載の特殊潜像模様形成体。
【請求項１２】
上記第１の印刷画線と上記第２の印刷画線は、夫々点列の粗密、大小又は粗密及び大小が連続的に変化して印刷されていることを特徴とする請求項１０記載の特殊潜像模様形成体。
【請求項１３】
上記第１の印刷画線と上記第２の印刷画線は、互いに同じ色であって、基材の色と異なる色の有色インキで印刷されていることを特徴とする請求項１〜１２のいずれか１項記載の特殊潜像模様形成体。
【請求項１４】
上記第１の印刷画線と上記第２の印刷画線は、互いに異なる色であって、基材の色と異なる色の有色インキで印刷されていることを特徴とする請求項１〜１２のいずれか１項記載の特殊潜像模様形成体。
【請求項１５】
上記有色インキは、発光インキであることを特徴とする請求項１３又は１４記載の特殊潜像模様形成体。
【請求項１６】
上記互いに異なる色の有色インキは、いずれか一方又は両方が発光インキであることを特徴とする請求項１４記載の特殊潜像模様形成体。
【請求項１７】
上記第１の印刷画線と上記第２の印刷画線は、そのいずれか一方が無色透明の発光インキで印刷されており、他方が基材の色と異なる色の有色インキで印刷されていることを特徴とする請求項１〜１２のいずれか１項記載の特殊潜像模様形成体。
【請求項１８】
上記第１の印刷画線と上記第２の印刷画線は、そのいずれか一方が無色透明の発光インキで印刷されており、他方が基材の色と異なる色の有色の発光インキで印刷されていることを特徴とする請求項１〜１２のいずれか１項記載の特殊潜像模様形成体。
【請求項１９】
上記第１の印刷画線と上記第２の印刷画線は、共に無色透明の発光インキで印刷されていることを特徴とする請求項１〜１２のいずれか１項記載の特殊潜像模様形成体。
【請求項２０】
上記無色透明の発光インキで印刷された上記第１の印刷画線又は上記第２の印刷画線の上又は下には、地紋が印刷されていることを特徴とする請求項１７又は１８項記載の特殊潜像模様形成体。
【請求項２１】
上記無色透明の発光インキで印刷された上記第１の印刷画線及び上記第２の印刷画線の上又は下には、地紋が印刷されていることを特徴とする請求項１９記載の特殊潜像模様形成体。
【請求項２２】
上記第１の印刷画線と上記第２の印刷画線は、連続的に色を変化させて印刷されていることを特徴とする請求項１〜２１のいずれか１項記載の特殊潜像模様形成体。
【請求項２３】
上記第１の印刷画線と上記第２の印刷画線は、部分的に色を変化させて印刷されていることを特徴とする請求項１〜２１のいずれか１項記載の特殊潜像模様形成体。
【請求項２４】
上記部分的に色を変化させて印刷された上記第１の印刷画線と上記第２の印刷画線は、各色ごとにその色に相当する領域のみからなる部分版に着肉したものを同一の集合版に集合した後に、すべてのインキを同時に印刷版面に転移させて、部分的に色を変化させて印刷されていることを特徴とする請求項２３記載の特殊潜像模様形成体。
【発明の詳細な説明】
【０００１】
【発明の属する技術分野】
本発明は、銀行券、パスポート、有価証券、カード、貴重印刷物などの偽造防止及び改ざん防止が要求されるものに利用される特殊潜像模様形成体に関するものである。
【０００２】
【従来の技術】
銀行券、パスポート、有価証券、カード、貴重印刷物などは、その性質上、偽造及び改ざんされにくいことが要求される。それに用いる偽造防止策を施す技術としては、紙層の厚薄によるすき入れ、紙に凹版印刷隆起画線を施したもの、特殊な物質を紙にすき込んだものなどが一般的に公知である。
【０００３】
本発明者らは、凹版印刷により万線模様等の隆起した印刷をした基材上に、この隆起した印刷画線に対して平行又は傾斜をもって別の印刷画線を印刷し、基材に対して特定角度の方向から見たときに、潜像となる特定の文字、図柄などが認識できる偽造防止用潜像印刷物について、すでに特許を得ている（特許２６００００９４号公報参照。）
【０００４】
この従来例についてその概要を図１〜５を参照して説明する。隠蔽力のある白色の凹版インキで白色の紙５に凹版印刷を行い、部分的に角度を異にすることによって図柄を表した隆起した直線万線印刷画線６を形成する（図１、３、４参照）。直線万線画線６が印刷された紙５上に、有色のインキによって一定間隔の直線で構成された直線万線画線２（図１）、７（図４）を印刷し、潜像印刷物が形成される。
【０００５】
この潜像印刷物は、正面から観察すると図２に示すように、有色の万線画線２しか認識できないが、斜めの方向から観察すると、部分的に角度を異にすることによって図柄を表した隆起した直線万線印刷画線６と直線万線画線２のなす角度の異なる部分で図柄を表した潜像模様（図３参照）が容易に確認できる。
【０００６】
凹版印刷によりレリーフ模様の隆起した印刷画線を基材上に形成し、この基材上に直線万線印刷画線を印刷して潜像印刷物が形成した場合は、斜めの方向から観察すると、レリーフ模様の潜像部分的に角度を異にすることによって図柄を表した隆起した直線万線印刷画線６と直線万線画線２のなす角度の異なる部分でレリーフの潜像模様（図５参照）が容易に確認できる。
【０００７】
【発明が解決しようとする課題】
上記一般的に公知な従来の技術の偽造防止手段は、紙を透かして見ない限りすき入れ像などの判別ができず、また、ワニス等で疑似的にすき入れを施すことができることなどから、完全な偽造防止手段とはなりにくくなってきている。
【０００８】
又、上記特殊潜像模様関連の特許では、基材に対する目視の角度を変えることにより、特殊潜像模様を現出させるという点で、偽造防止効果は大きい。しかしながら、潜像効果を発現するために付与する印刷画線は万線、波線等の単調なデザインであるため、印刷画線の複製は容易であること、銀行券、諸証券等の限られた面積に偽造防止技術を付与すると特殊潜像模様の付与可能なエリアが小さくなり、特殊潜像模様印刷物並びに特殊潜像模様形成体の特徴である潜像を効果的に発現することは困難である。
【０００９】
ところで、上記従来の特殊潜像模様関連の特許では、潜像の付与された基材に対して一方向又はその逆方向から斜めに観察することによって特定の同一図柄が浮かび上がる構造となっており、他の方向から観察した場合には、このような潜像効果が発現しない。このために、凹版印刷隆起画線及び万線画線等による潜像付与範囲が広い割に情報量が少ない。
【００１０】
本発明は、上記従来の問題点を解決することを目的とするものであり、上下、左右等互いに異なる方向から斜めに観察すると、観察する方向によって同じ又は異なる図柄、色の潜像模様が認識でき、さらに印刷画線をその幅、種類、大きさ、色等を変え、又潜像模様に階調を付与する等として多様化し、真偽判別機能を高めるとともに、偽造、変造、改ざん等しにくい、偽造防止効果を高めた特殊潜像模様形成体を実現することを課題とする。
【００１１】
【課題を解決するための手段】
本発明は上記課題を解決するために、基材上に第１の方向に沿って伸びるように形成され、部分的に角度を異にすることによって第１の図柄を表した万線模様、レリーフ模様、又は万線模様とレリーフ模様双方の模様と、上記基材上に上記第１の方向と異なる第２の方向に沿って伸びるように形成され、部分的に角度を異にすることによって第２の図柄を表した万線模様、レリーフ模様、又は万線模様とレリーフ模様の双方の模様を構成する凹版印刷隆起画線と、上記凹版印刷隆起画線の形成された上記基材上に、該第１の図柄を表した模様の凹版印刷隆起画線に対して平行又は傾斜を持たせて印刷された第１の印刷画線と、上記凹版印刷隆起画線の形成された上記基材上に、該第２の図柄を表した模様の凹版印刷隆起画線に対して平行又は傾斜を持たせて印刷された第２の印刷画線とを備え、上記基材を、第１の方向と直交する方向又はその逆方向から斜めに観察すると第１の潜像模様を認識することができ、上記基材を、第２の方向と直交する方向又はその逆方向から斜めに観察すると第２の潜像模様を認識することができることを特徴とする特殊潜像模様形成体を提供する。
【００１２】
本発明は上記課題を解決するために、基材上に第１の方向に沿って伸びるように形成され、部分的に角度を異にすることによって第１の図柄を表した万線模様、レリーフ模様、又は万線模様とレリーフ模様の双方の模様と、上記基材上に上記第１の方向と異なる第２の方向に沿って伸びるように形成され、部分的に角度を異にすることによって第２の図柄を表した万線模様、レリーフ模様、又は万線模様とレリーフ模様の双方の模様を構成する凹版印刷隆起画線と、上記凹版印刷隆起画線の形成された上記基材上に、該第１の図柄を表した模様の凹版印刷隆起画線に対して平行又は傾斜を持たせて印刷された第１の印刷画線と、上記凹版印刷隆起画線の形成された上記基材上に、該第２の図柄を表した模様の凹版印刷隆起画線に対して平行又は傾斜を持たせて印刷された第２の印刷画線とを備え、上記基材を、第１の方向と直交する方向又はその逆方向から斜めに観察すると第２の潜像模様を認識することができ、上記基材を第２の方向と直交する方向又はその逆方向から斜めに観察すると第１の潜像模様を認識することができることを特徴とする特殊潜像模様形成体を提供する。
【００１３】
以上の特殊潜像模様形成体の上記第１の図柄と第２の図柄は互いに同じ図柄であってもよいし、互いに異なる図柄であってもよい。
【００１４】
又、上記第１の印刷画線と上記第２の印刷画線は、万線画線であることを特徴とし、上記万線画線は、夫々段階的に幅を変化させて図柄を表す構成としてもよいし、夫々連続的に幅を変化させて図柄を表す構成としてもよい。
【００１５】
上記第１の印刷画線と上記第２の印刷画線は、夫々万線状に配列された点列から成る構成としてもよい。この場合、上記第１の印刷画線と上記第２の印刷画線は、夫々万線状に配列された点の粗密で図柄を表す点列から成る構成としてもよいし、夫々万線状に配列された点の大小で図柄を表す点列から成る構成としてもよいし、夫々万線状に配列された点の粗密、大小又は粗密及び大小で図柄を表す点列から成る構成としてもよいし、夫々点列の粗密、大小又は粗密及び大小が断続的に変化して印刷されている構成としてもよいし、夫々点列の粗密、大小又は粗密及び大小が連続的に変化して印刷されている構成としてもよい。
【００１６】
以上の特殊潜像模様形成体の上記第１の印刷画線と上記第２の印刷画線は、互いに同じ色であって、基材の色と異なる色の有色インキで印刷されている構成であってもよいし、互いに異なる色であって、基材の色と異なる色の有色インキで印刷されている構成としてもよい。さらに、上記有色インキは、発光インキとしてもよいが、この場合、上記互いに異なる色の有色インキは、いずれか一方又は両方が発光インキである構成としてもよい。
【００１７】
有色インキで印刷する場合は、上記第１の印刷画線又は上記第２の印刷画線は、連続的又は部分的に色を変化させて印刷されている構成としてもよい。上記部分的に色を変化させて印刷された上記第１の印刷画線と上記第２の印刷画線は、各色ごとにその色に相当する領域のみからなる部分版に着肉したものを同一の集合版に集合した後に、すべてのインキを同時に印刷版面に転移させて、部分的に色を変化させて印刷されている構成としてもよい。
【００１８】
第１の印刷画線と第２の印刷画線は、そのいずれか一方が無色透明の発光インキで印刷されており、他方が基材の色と異なる色の有色インキで印刷されている構成としてもよいし、そのいずれか一方が無色透明の発光インキで印刷されており、他方が基材の色と異なる色の有色の発光インキで印刷されている構成としてもよいし、共に無色透明の発光インキで印刷されている構成としてもよい。
【００１９】
無色透明の発光インキで印刷された上記第１の印刷画線、上記第２の印刷画線又は双方の上又は下には、地紋が印刷されている構成としてもよい。
【００２０】
【発明の実施の形態】
本発明に係る特殊潜像模様形成体の実施の形態を基本的な構成を説明してから実施例に基づいて図面を参照して説明する。
【００２１】
（基本的構成）
本発明に係る特殊潜像模様形成体は、基本的には、基材上に正面から観察した場合は認識できないが、基材を所定の第１の方向と直交する方向から斜めに観察すると第１の潜像模様が認識でき、別の第２の方向と直交する方向から斜めに観察すると第２の潜像模様が認識できるように、二つの潜像模様を基材上に形成して成る特殊潜像模様形成体である。
【００２２】
第１の潜像模様は、基材上に、凹版版面を用いて基材と同色又は近似した色の凹版インキにより隆起して印刷され、第１の方向に伸び部分的に角度を異にすることで図柄を表した万線模様又はレリーフ模様、又は万線模様とレリーフ模様の双方の模様を構成する凹版印刷隆起画線（凹版で印刷され断面凸状の隆起画線を本明細書では、「凹版印刷隆起画線」と言う。）と、この凹版印刷隆起画線の形成された基材上に凹版印刷隆起画線に沿って隆起して印刷された万線画線、万線状に配列された点列等の印刷画線とにより付与されるものであり、基材を第１の方向と直交する方向に斜めに観察すると認識できる。
【００２３】
第２の潜像模様は、基材上に、同じく凹版版面を用いて基材と同色又は近似した色の凹版インキにより隆起して印刷され、第１の方向と異なる方向に伸び部分的に角度を異にすることで図柄を表した万線模様又はレリーフ模様、又は万線模様とレリーフ模様の双方の模様を構成する凹版印刷隆起画線と、この凹版印刷隆起画線の形成された基材上に凹版印刷隆起画線に沿って隆起して印刷された万線画線、万線状に配列された点列等の印刷画線とにより付与されるものであり、基材を第２の方向と直交する方向に斜めに観察すると認識できる。
【００２４】
図６〜図１０は、本発明に係る特殊潜像模様形成体の基本原理を具体的に説明する図である。図６は、第１の潜像模様の形成及び発生を説明する図であり、図７は、第２の潜像模様の形成及び発生を説明する図である。第１及び第２の潜像模様は、互いに直交する第１及び第２の方向から斜めに観察すると認識でき、第１及び第２の潜像模様は互いに直交する方向に向けて形成されている。
【００２５】
図６で第１の潜像模様について説明する。図６において、基材５の表面に部分的に角度を異にする（傾斜している）ことによって図柄を表した万線模様を構成する第１の凹版印刷隆起画線７がピッチｐ1で形成されている（図６（ａ）参照）。図６（ｂ）は、図６の（ａ）のA−Ａ'断面図である。第１の凹版印刷隆起画線７は、具体的には、凹版版面を用いて基材と同色又は近似した色の凹版インキにより隆起して印刷され、基材５の平坦面８に対して凸条９が万線模様を構成するように形成されている。また、凹版印刷隆起画線７は凹版印刷を用いて印刷されるため、凹版版面には第２の凹版印刷隆起画線の凹部が施され、同時に凹版印刷隆起画線７'が形成される。
【００２６】
この第１の凹版印刷隆起画線７に対して平行に（正確には部分的に角度を異にする部分６以外の第１の凹版印刷隆起画線７を構成する部分１３に平行に）第１の万線画線１０がピッチｐ1に近似したピッチｐ2で印刷されている。図６（ｃ）は、第１の万線画線１０を示しており、図６（ｄ）は、基材の第１の凹版印刷隆起画線７及び第２の凹版印刷隆起画線７'の上に第１の万線画線１０が印刷された状態を正面から観察した際に見える状態を示している。
【００２７】
このようにして形成された特殊潜像模様形成体を正面から観察すると、第１の凹版印刷隆起画線７及び第２の凹版印刷隆起画線７'は、基材と同色又は近似色で隆起して印刷されているために認識することができず（第１の凹版印刷隆起画線７及び第２の凹版印刷隆起画線７'は、第１の万線画線１０との位置関係を説明上表すために記載されているが、実際は認識できない。）、図６（ｄ）に示すように、第１の万線画線１０のみしか見ることができない
【００２８】
そして、この特殊潜像模様形成体を第１の観察方向で（図６（ｅ）中下側斜め手前側から）斜めから観察すると、万線画線１０の部分１６は第１の凹版印刷隆起画線７の陰になって見えなく、万線画線１０の部分１７は第１の凹版印刷隆起画線７の影響を受けず見え、第１の凹版印刷隆起画線７の角度を異ならせた部分６と交差する万線画線１０の交差部１５は、角度の異なる部分６により濃淡となって見える。このように、斜めから観察した場合に、万線画線１０と第１の凹版印刷隆起画線７の相対位置によって見え隠れが発生し、万線画線１０の見えない部分１６、見える部分１７と交差部１５が集まって潜像が生じる。逆の斜め方向から（図６（ｅ）中上側斜め手前側から）基材を観察すると、潜像の明暗が反転して見える。
【００２９】
次に、図７で第２の潜像模様について説明する。図７（ａ）は第２の凹版印刷隆起画線７’を示し、図６（ａ）と同様に第１の凹版印刷隆起画線７が形成され、図７（ｂ）は、図７の（ａ）のＢ−Ｂ'断面図である。第１の凹版印刷隆起画線７'は、具体的には、凹版版面を用いて基材と同色又は近似した色の凹版インキにより隆起して印刷され、基材５の平坦面８に対して凸条９'が万線模様を構成するように形成されている。図７（ｃ）は第２の万線画線１０’を示し、図７（ｄ）は第２の凹版印刷隆起画線７’及び第１の凹版印刷隆起画線７に対して第２の万線画線１０’を印刷した状態を正面から観察した際に見える状態を示し、図７（ｅ）は第２の観察方向から（図７（ｄ）中、右手前から）斜めに基材を観察した際に見える状態を示す。
【００３０】
第２の凹版印刷隆起画線７’は、具体的には、凹版版面を用いて基材と同色又は近似した色の凹版インキにより隆起して印刷され、基材５の平坦面８に対して凸条９’が万線模様を構成するように形成される。第２の凹版印刷隆起画線７’及び第２の万線画線１０’は、第１の凹版印刷隆起画線７に対して直交する方向に形成したものである。
【００３１】
このようにして形成された特殊潜像模様形成体を正面から観察すると、第２の凹版印刷隆起画線７’は、基材と同色又は近似色で隆起して印刷されているために認識することができず（第２の凹版印刷隆起画線７’及び第１の凹版印刷隆起画線７は、第２の万線画線１０’との位置関係を説明上表すために記載されているが、実際は認識できない。）、図７（ｄ）に示すように、第２の万線画線１０’のみしか見ることができない。
【００３２】
そして、第１の潜像模様に対して直交する方向である第２の方向（７（ｄ）中、右手前から）から基材５を斜めに観察すると、万線画線１０'の部分１６'は第２の凹版印刷隆起画線７'の陰になって見えなく、万線画線１０の部分１７'は第２の凹版印刷隆起画線７'の影響を受けず見え、第２の凹版印刷隆起画線７’の角度の異なる部分６’と万線画線１０’の交差部１５’は、角度の異なる部分６により濃淡となって見える。このように、斜めから観察した場合に、万線画線１０'と第２の凹版印刷隆起画線７'の相対位置によって見え隠れが発生し、万線画線１０'の見えない部分１６'、見える部分１７'と交差部１５'が集まって潜像が生じる。逆の斜め方向から（図７（ｄ）中、左手前側から）基材５を観察すると、この潜像の明暗が反転して認識することができる。
【００３３】
本発明に係る特殊潜像模様形成体は、以上のような、第１の潜像模様及び第２の潜像模様が、同じ基材５上の同一個所に付与されたものである。図８は、本発明に係るこの特殊潜像模様形成体を示すものであり、図８（ａ）は、基材上に互いに直交する方向に形成された第１及び第２の凹版印刷隆起画線７、７’を示し、図８（ｂ）は、互いに直交する方向に印刷された第１及び第２の万線画線１０、１０’を示している。
【００３４】
図８（ｃ）は、第１及び第２の凹版印刷隆起画線７、７’に対して第１及び第２の万線画線１０、１０’を印刷した（実際は後記する図１５（ａ）に示すような格子条の万線画線で印刷する。）状態を正面から観察した際に、第１及び第２の万線画線１０、１０’が格子状の見える状態を示している（凹版印刷隆起画線７、７’は、万線画線１０、１０’との位置関係を説明上表すために記載されているが、実際は見えない。）。
【００３５】
図９及び図１０は、本発明に係る特殊潜像模様形成体を斜めから観察した際に見える状態を示し、図９（ａ）は、本発明に係る特殊潜像模様形成体を第１の観察方向から斜めに観察した際に認識できる潜像模様を示し、図１０（ａ）は、本発明に係る特殊潜像模様形成体を第２の観察方向から斜めに観察した際に認識できる潜像模様を示している。また、図９（ｂ）は、本発明に係る特殊潜像模様形成体を第１の観察方向から斜めに観察した際に、凹版印刷隆起画線７によって万線画線１０が隠蔽される状態を表した断面図であり、図１０（ｂ）は、本発明に係る特殊潜像模様形成体を第２の観察方向から斜めに観察した際に、凹版印刷隆起画線７'によって万線画線１０'が隠蔽される状態を表した断面図である。
【００３６】
このように本発明に係る特殊潜像模様形成体は、正面から観察すると互いに直交する万線画線１０、１０’しかみることができない（図８（ｄ）参照）が、第１の観察方向及び第２の観察方向の夫々から斜めに観察することにより、夫々の方向に付与された潜像を見ることができ、この潜像模様の有無を確認することにより真偽判別が可能である。
【００３７】
本発明に係る特殊潜像模様形成体は、互いに異なる方向に形成された二つの潜像模様を付与した点を基本的な特徴的構成としており、これに加えてさらに、第１及び第２の図柄を表した模様の凹版印刷隆起画線を組み合わせ、第１及び第２の印刷画線のその形状（幅、点列、文字等）、色、印刷法等、潜像模様を構成する要素（凹凸形状、印刷画線等）をいろいろと変えることにより、さらに多様化した潜像を発生させることが可能であり、偽造防止効果を高めることができる。
【００３８】
本発明に係る特殊潜像模様形成体に関する構成要素は、次の（Ｉ）〜（IV）通りであり、これらの要素を組み合わせることにより、潜像模様をより多様化し、相乗的偽造防止機能を高めることができる。
（Ｉ）基材面に形成される凹凸形状の構成。即ち、凹版で隆起して印刷され、万線模様、レリーフ模様、又は万線模様とレリーフ模様双方の模様を構成する凹版印刷隆起画線の模様。
（II）印刷画線の形状。即ち万線画線、万線状に配列された点列等の印刷画線。
（III）印刷画線の色。
（IV）印刷画線の印刷構造。
以下、（Ｉ）〜（IV）の構成要素及びその組み合わせについて順次説明する。
【００３９】
（Ｉ）万線模様、レリーフ模様、又は万線模様とレリーフ模様の双方の模様を構成する凹版印刷隆起画線は、白色の紙等の基材に凹版で隆起して印刷される。
【００４０】
図１１は、基材表面に形成される凹版印刷隆起画線の具体例を示す図である。
図１１（ａ）は、部分的に角度を異ならせて図柄を表した凹凸形状の例であり、図柄としてＪＰの文字と桜のマークを表した例を示す。
【００４１】
本発明に係る特殊潜像模様形成体では、第１の潜像模様と第２の潜像模様を付与するが、図１１（ｂ）は、両者を同じＪＰの文字とし、その方向を互いに直交する方向にずらして基材上に重ねて形成した例を示している。この場合は、第１の方向から（図中左側から）観察しても第２の方向から（図中下側から）観察してもＪＰの文字の潜像が認識できる。
【００４２】
図１１（ｃ）は、ＪＰの文字と桜の模様とし、その方向を互いに直交する方向にずらして基材上に重ねて形成した例を示している。この場合は、第１の方向から（図中下側から）観察するとＪＰの文字の潜像が認識でき、第２の方向から（図中右側から）観察すると桜のマークの潜像が認識できる。このように、互いに異なる方向に向いた文字やマーク等の模様を、部分的に角度を異ならせて表現する凹版印刷隆起画線が基材上に形成される。
【００４３】
（II）印刷画線の形状については、万線画線、万線状の点列（複数の点の列）がある。
（１）一定の幅、段階的に変化する幅、あるいは連続的に変化する幅で図柄を表す万線画線。
（２）点の疎密、点の大小、それらの組み合わせで図柄を表す万線状の点列。
【００４４】
印刷画線は、いろいろと変化させると潜像模様が多様化し、偽造しにくい潜像模様を付与することができる。その具体例を、万線模様を構成する凹版印刷隆起画線に対して、万線の幅を段階的に変化した例で以下説明する。
【００４５】
図１２（ａ）は、基材５上に凹版印刷隆起画線７、７'を印刷した正面図を示している。図１２（ｂ）は、凹版印刷隆起画線７、７'を施した基材５上に印刷する万線画線１０、１０'を示し、万線画線１０'の一部が太幅部１１と細幅部１２に段階的に変化させている。図１２（ｃ）は、基材５の表面に凹版で部分的に角度の異ならせて図柄を表す万線模様を構成する凹版印刷隆起画線７、７'を印刷し、凹版印刷隆起画線７、７'上に万線画線１０と太幅部１１と細幅部１２とから幅が段階的に変化している万線画線１０'が印刷されている。
【００４６】
万線画線１０、１０'は、凹版印刷隆起画線７、７'に平行（正確には部分的に角度を異にする部分６、６'以外の凹版印刷隆起画線を構成する部分１３、１３'に平行）に印刷されている。凹版印刷隆起画線７'の角度を異なる部分６'と万線画線１０'の太幅部１１又は細幅部１２が交差して、万線画線１０'の太幅部１１又は細幅部１２は、角度を異なる部分６'を乗り越えるようにして伸びている。
【００４７】
今、観察者が、特殊潜像模様形成体をその正面から観察した時には、図１２（ｃ）に示すような万線画線１０、１０'の全部の図柄が認識できる。万線模様を構成する凹版印刷隆起画線７、７'は、実際は観察できないが、説明上その凹凸を示す線を記載しておく。しかしながら、この特殊潜像模様形成体を、図１３（ａ）に示すように、観察者が、斜め前方から（図１２（ｃ）の下側の手前方向から）観察すると、万線画線１０の部分１６は第１の凹版印刷隆起画線７の陰になって見えなく、万線画線１０の部分１７は第１の凹版印刷隆起画線７の影響を受けず見え、第１の凹版印刷隆起画線７の角度の異なる部分６と万線画線１０の交差部１５は角度の異なる部分６により濃淡となって見える。
【００４８】
ところで、特殊潜像模様形成体を、図１４（ａ）に示すように、観察者が、斜め前方から（図１２（ｃ）の右側の手前方向から）観察すると、万線画線１０'の太幅部１１と細幅部１２が第２の凹版印刷隆起画線７'によって隠れる割合が異なり、太幅部１１の見える部分が大きく、細幅部１２では見える部分がちいさくなり、太幅部１１と細幅部１２が角度の異なる部分６と交差すると、濃淡の領域が変化する。要するに、模様を構成する多数の見える部分の大小が異なると、模様の階調が異なってくる。これにより、濃淡を伴った模様が生じる。
【００４９】
なお、特殊潜像模様形成体１８を、斜めから目視する場合について説明する。
図１３（ｂ）は図中下側手前側から目視した場合で、図９（ｂ）と全く同じ図であり、図１３（ａ）のＧ−Ｇ'及びＨ−Ｈ'の断面図であり、凹凸形状部７の表面に万線画線１０のインキ１４が付着している状態を示している。
【００５０】
図１４（ｂ）は図中右側手前側から目視した場合で、図１４（ａ）のＩ−Ｉ'及びＪ−Ｊ'の断面図であり、図１０（ｂ）のＥ−Ｅ'の断面図とＩ−Ｉ'の断面図は全く同じ図であるが、図１４（ａ）のＪ−Ｊ'の断面図は万線画線１０'の太幅部１１の影響によって図１０（ｂ）のＦ−Ｆ'の断面図とは異なり、見える領域が広くなる。即ち、凹版印刷隆起画線が同一であっても、万線画線を変化させることによって、その幅によっては、凹版印刷隆起画線の陰に隠れて部分的にインキ１４が見えない部分１６と部分的にインキ１４が見える部分１７が生じ、結局、図１３（ａ）と図１４（ａ）に示すように、正面から見た図柄（図１２（ｃ）参照。）とは全く異なる図柄の特殊潜像模様１７、１７'が認識できることとなる。
【００５１】
いずれにしろ、図１３のように下側又は図１４のように右側から斜めに見た場合に観察できる特殊潜像模様１７、１７'の図柄が、所定の図柄となるように、予め、角度の異なる部分６、６'を配置した万線模様を構成する凹版印刷隆起画線７、７'を基材５の表面に形成するとともに、この凹版印刷隆起画線７、７'に対して太幅部１１及び細幅部１２を適宜変化させた万線画線１０、１０'を印刷することにより、特殊潜像模様形成体１８を作製する。これによって、特殊潜像模様形成体１８を、下側又は右側斜め前方から観察し、特殊潜像模様１７、１７'を確認することで、その真偽判別を簡単に行うことができ、又偽造防止効果を高めることができる。
【００５２】
ところで、上記説明では、基材及び印刷画線については、比較的分かりやすい例として、基材６については万線模様を構成する凹版印刷隆起画線を有するものとし、印刷画線については、万線の幅を段階的に変化させることで図柄を表した万線画線として説明した。
【００５３】
しかし、これに限らず、基材としては、レリーフ模様、又は万線模様とレリーフ模様の双方の凹版印刷隆起画線をスクリーン印刷、発泡印刷等の隆起した画線を付与可能な印刷技法で作製した基材を利用してもよい。又、印刷画線としては、万線状に配した点、文字等から成る印刷画線を利用してもよい。このような場合についても、具体的な説明は省略するが、斜めから観察すると、万線状の点、文字等の模様の印刷画線が、基材のレリーフ及び／又は万線模様を構成する凹版印刷隆起画線と互いに交差して万線画線と同様に階調のある縞模様を生じ、さらに印刷画線の部分々々の形状により部分的に見えたり見えなかったりして、階調のある特殊潜像模様が認識でき、この結果偽造防止機能を生じる。
【００５４】
（III）第１及び第２の印刷画線の色は、夫々次のような色のインキにより印刷される。
▲１▼基材の色と異なる、発光しない有色インキ。
▲２▼基材の色と異なる有色インキで発光するインキ。
▲３▼通常時に無色の透明インキで発光するインキ。
【００５５】
（IV）第１及び第２の印刷画線の印刷構造は次のとおりである。
▲１▼連続的色変化。これは、１本の画線についてその長手方向に色合い（色の濃度、種類）が連続的に変化する構成である。
▲２▼部分的色変化。これは、印刷画線が部分的に異なる色で構成されたものである。これには、重ね刷りをすることにより、異なる色の画線が互いに重なり画線に沿って部分的に色が異なる構成と、各色毎にその色に相当する領域のみから成る部分版に着肉したものを同一の集合版に集合した後に、すべてのインキを同時に印刷版面に転移させて、部分的に色を変化させてなる構成とがある。
【００５６】
【実施例】
以上説明した要素（Ｉ）〜（IV）の夫々を組み合わせることにより、本発明に係る特殊潜像模様形成体が構成される。この組み合わせの例を、以下実施例として示す。
【００５７】
次の実施例１〜１２はいずれも、基材には凹版で第１及び第２の図柄を表した模様の凹版印刷隆起画線が夫々互いに直交する方向に、凹版版面で隆起して印刷されており、さらにこの基材上に第１及び第２の印刷画線として万線画線を印刷した例である。
【００５８】
実施例１〜１２はいずれも、次の基本的な構成、特徴を共通的に備えている。
（１）基材上に第１の方向に沿って伸びるように形成され、部分的に角度を異にすることによって第１の図柄を表した万線模様、レリーフ模様、又は万線模様とレリーフ模様の双方の模様と、上記基材上に上記第１の方向と異なる第２の方向に沿って伸びるように形成され、部分的に角度を異にすることによって第２の図柄を表した万線模様、レリーフ模様、又は万線模様とレリーフ模様の双方の模様を構成する画線が、凹版版面で基材と同色又は近似色で隆起して印刷された凹版印刷隆起画線とを備えている。
【００５９】
（２）上記凹版印刷隆起画線の形成された上記基材上に、該第１の図柄を表した模様の凹版印刷隆起画線に対して平行又は傾斜を持たせて印刷された第１の万線画線と、上記第２の図柄を表した模様の凹版印刷隆起画線の形成された上記基材上に、該第２の図柄を表した模様の凹版印刷隆起画線に対して平行又は傾斜を持たせて印刷された第２の万線画線とを備えている。
【００６０】
（３）上記基材を、正面から観察すると第１及び第２の万線画線しか認識できないが、上記第１の方向と直交した方向又はその逆方向から斜めに観察すると第１の潜像模様を認識することができ、上記基材を、上記第２の方向と直交した方向又はその逆方向から斜めに観察すると第２の潜像模様を認識することができる。
【００６１】
（実施例１）
実施例１の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。図１５（ａ）は互いに直交して格子状に印刷される第１及び第２の万線画線であり、この第１及び第２の万線画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、夫々が観察方向に向いた互いに同一の潜像模様が認識できる。
【００６２】
実施例１の第１及び第２の万線画線は、夫々次のインキの組み合わせのいずれかで印刷する。
▲１▼第１及び第２の万線画線は、共に基材の色と異なる有色インキで印刷される。
▲２▼第１及び第２の万線画線は、共に基材の色と異なる有色発光インキで印刷される。
▲３▼第１及び第２の万線画線は、無色透明の発光インキで印刷される。
▲４▼万線画線を無色透明な発光インキで印刷する場合は、その万線画線の上又は下に地紋を印刷してもよい。
【００６３】
（実施例２）
実施例２の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。第１及び第２の万線画線は、夫々第１及び第２の図柄を表した模様の凹版印刷隆起画線に対してピッチが近似し、且つ図１６に示すように（万線画線の形状を示すために一方向の万線画線１９しか示さないが、実際は、第１及び第２の万線画線は図１５（ａ）に示すように格子状に印刷される。以下の万線画線についても同じ。）、万線画線１９の幅が段階的に変化しており、しかも平行又は傾斜を持たせて印刷することによって、基材の上下左右から（上下方向を第１の観察方向とすると左右方向は第２の観察方向である。）斜めに観察することによって、同一の潜像模様が認識できる。
【００６４】
実施例２の第１及び第２の万線画線は、夫々次のインキの組み合わせのいずれかで印刷する。
▲１▼第１及び第２の万線画線は、共に基材の色と異なる有色インキで印刷される。
▲２▼第１及び第２の万線画線は、共に基材の色と異なる有色発光インキで印刷される。
▲３▼第１及び第２の万線画線は、無色透明の発光インキで印刷される。
▲４▼万線画線を無色透明な発光インキで印刷する場合は、その万線画線の上又は下に地紋を印刷してもよい。
【００６５】
（実施例３）
実施例３の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。第１及び第２の万線画線は、夫々第１及び第２の図柄を表した模様の凹版印刷隆起画線に対してピッチが近似し、且つ、一方向の万線画線を示すように、万線画線２０の幅が連続的に変化しており（図１７参照。）、しかも平行又は傾斜を持たせて印刷することによって、基材の上下左右から（上下方向を第１の観察方向とすると左右方向は第２の観察方向である。）斜めに観察することによって、同一の潜像模様が認識できる。
【００６６】
実施例３の第１及び第２の万線画線は、夫々次のインキの組み合わせのいずれかで印刷する。
▲１▼第１及び第２の万線画線は、共に基材の色と異なる有色インキで印刷される。
▲２▼第１及び第２の万線画線は、共に基材の色と異なる有色発光インキで印刷される。
▲３▼第１及び第２の万線画線は、無色透明の発光インキで印刷される。
▲４▼万線画線を無色透明な発光インキで印刷する場合は、その万線画線の上又は下に地紋を印刷してもよい。
【００６７】
（実施例４）
実施例４の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一の図柄である（図１１（ｂ）参照。）。第１及び第２の万線画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【００６８】
実施例４の第１及び第２の万線画線は、夫々次のインキの組み合わせのいずれかで印刷する。
▲１▼第１及び第２の万線画線は、互いに異なると共に基材の色とも異なる有色インキで印刷される。
▲２▼第１及び第２の万線画線は、互いに異なると共に基材の色とも異なる有色発光インキで印刷される。
▲３▼第１及び第２の万線画線は、その一方が無色透明の発光インキで印刷される。
▲４▼第１及び第２の万線画線は、互いに無色透明の異なる発光色のインキで印刷される。
▲５▼万線画線を無色透明な発光インキで印刷する場合は、その万線画線の上又は下に地紋を印刷してもよい。
【００６９】
（実施例５）
実施例５の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。第１及び第２の万線画線は、夫々第１及び第２の図柄を表した模様の凹版印刷隆起画線に対してピッチが近似し、且つ幅が段階的に変化しており（図１６参照）、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【００７０】
実施例５の第１及び第２の万線画線は、夫々次のインキの組み合わせのいずれかで印刷する。
▲１▼第１及び第２の万線画線は、互いに異なると共に基材の色とも異なる有色インキで印刷される。
▲２▼第１及び第２の万線画線は、互いに異なると共に基材の色とも異なる有色発光インキで印刷される。
▲３▼第１及び第２の万線画線は、その一方が無色透明の発光インキで印刷される。
▲４▼第１及び第２の万線画線は、互いに無色透明の異なる発光色のインキで印刷される。
▲５▼万線画線を無色透明な発光インキで印刷する場合は、その万線画線の上又は下に地紋を印刷してもよい。
【００７１】
（実施例６）
実施例６の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。第１及び第２の万線画線は、夫々第１及び第２の図柄を表した模様の凹版印刷隆起画線に対してピッチが近似し、且つ幅が連続的に変化しており（図１７参照）、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【００７２】
実施例６の第１及び第２の万線画線は、夫々次のインキの組み合わせのいずれかで印刷する。
▲１▼第１及び第２の万線画線は、互いに異なると共に基材の色とも異なる有色インキで印刷される。
▲２▼第１及び第２の万線画線は、互いに異なると共に基材の色とも異なる有色発光インキで印刷される。
▲３▼第１及び第２の万線画線は、その一方が無色透明の発光インキで印刷される。
▲４▼第１及び第２の万線画線は、互いに無色透明の異なる発光色のインキで印刷される。
▲５▼万線画線を無色透明な発光インキで印刷する場合は、その万線画線の上又は下に地紋を印刷してもよい。
【００７３】
（実施例７）
実施例７の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに異なる図柄である（図１１（ｃ）参照。）。第１及び第２の万線画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、異なる潜像模様が認識できる。
【００７４】
実施例７の第１及び第２の万線画線は、夫々次のインキの組み合わせのいずれかで印刷する。
▲１▼第１及び第２の万線画線は、共に基材の色と異なる有色インキで印刷される。
▲２▼第１及び第２の万線画線は、共に基材の色と異なる有色発光インキで印刷される。
▲３▼第１及び第２の万線画線は、無色透明の発光インキで印刷される。
▲４▼万線画線を無色透明な発光インキで印刷する場合は、その万線画線の上又は下に地紋を印刷してもよい。
【００７５】
（実施例８）
実施例８の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに異なる図柄である（図１１（ｃ）参照。）。第１及び第２の万線画線は、夫々第１及び第２の図柄を表した模様の凹版印刷隆起画線に対してピッチが近似し、且つ幅が段階的に変化しており（図１６参照）、しかも平行又は傾斜を持たせて印刷することによって、基材の上下左右から（上下方向を第１の観察方向とすると左右方向は第２の観察方向である。）斜めに観察することによって、異なる潜像模様が認識できる。
【００７６】
実施例８の第１及び第２の万線画線は、夫々次のインキの組み合わせのいずれかで印刷する。
▲１▼第１及び第２の万線画線は、共に基材の色と異なる有色インキで印刷される。
▲２▼第１及び第２の万線画線は、共に基材の色と異なる有色発光インキで印刷される。
▲３▼第１及び第２の万線画線は、無色透明の発光インキで印刷される。
▲４▼万線画線を無色透明な発光インキで印刷する場合は、その万線画線の上又は下に地紋を印刷してもよい。
【００７７】
（実施例９）
実施例９の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに異なる図柄である（図１１（ｃ）参照。）。第１及び第２の万線画線は、夫々第１及び第２の図柄を表した模様の凹版印刷隆起画線に対してピッチが近似し、且つ幅が連続的に変化しており（図１７参照）、しかも平行又は傾斜を持たせて印刷することによって、基材の上下左右から（上下方向を第１の観察方向とすると左右方向は第２の観察方向である。）斜めに観察することによって、異なる潜像模様が認識できる。
【００７８】
実施例８の第１及び第２の万線画線は、夫々次のインキの組み合わせのいずれかで印刷する。
▲１▼第１及び第２の万線画線は、共に基材の色と異なる有色インキで印刷される。
▲２▼第１及び第２の万線画線は、共に基材の色と異なる有色発光インキで印刷される。
▲３▼第１及び第２の万線画線は、無色透明の発光インキで印刷される。
▲４▼万線画線を無色透明な発光インキで印刷する場合は、その万線画線の上又は下に地紋を印刷してもよい。
【００７９】
（実施例１０）
実施例１０の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに異なる図柄である（図１１（ｃ）参照。）。第１及び第２の万線画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、異なる潜像模様が異なった色で認識できる。
【００８０】
実施例１０の第１及び第２の万線画線は、夫々次のインキの組み合わせのいずれかで印刷する。
▲１▼第１及び第２の万線画線は、互いに異なると共に基材の色とも異なる有色インキで印刷される。
▲２▼第１及び第２の万線画線は、互いに異なると共に基材の色とも異なる有色発光インキで印刷される。
▲３▼第１及び第２の万線画線は、その一方が無色透明の発光インキで印刷される。
▲４▼第１及び第２の万線画線は、互いに無色透明の異なる発光色のインキで印刷される。
▲５▼万線画線を無色透明な発光インキで印刷する場合は、その万線画線の上又は下に地紋を印刷してもよい。
【００８１】
（実施例１１）
実施例１１の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに異なる図柄である（図１１（ｃ）参照。）。第１及び第２の万線画線は、夫々第１及び第２の図柄を表した模様の凹版印刷隆起画線に対してピッチが近似し、且つ幅が段階的に変化しており（図１６参照）、しかも平行又は傾斜を持たせて印刷することによって、基材の上下左右から（上下方向を第１の観察方向とすると左右方向は第２の観察方向である。）斜めに観察することによって、異なる潜像模様が異なった色で認識できる。
【００８２】
実施例１１の第１及び第２の万線画線は、夫々次のインキの組み合わせのいずれかで印刷する。
▲１▼第１及び第２の万線画線は、互いに異なると共に基材の色とも異なる有色インキで印刷される。
▲２▼第１及び第２の万線画線は、互いに異なると共に基材の色とも異なる有色発光インキで印刷される。
▲３▼第１及び第２の万線画線は、その一方が無色透明の発光インキで印刷される。
▲４▼第１及び第２の万線画線は、互いに無色透明の異なる発光色のインキで印刷される。
▲５▼万線画線を無色透明な発光インキで印刷する場合は、その万線画線の上又は下に地紋を印刷してもよい。
【００８３】
（実施例１２）
実施例１２の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに異なる図柄である（図１１（ｃ）参照。）。第１及び第２の万線画線は、夫々第１及び第２の図柄を表した模様の凹版印刷隆起画線に対してピッチが近似し、且つ幅が連続的に変化しており（図１７参照）、しかも平行又は傾斜を持たせて印刷することによって、基材の上下左右から（上下方向を第１の観察方向とすると左右方向は第２の観察方向である。）斜めに観察することによって、異なる潜像模様が異なった色で認識できる。
【００８４】
実施例１２の第１及び第２の万線画線は、夫々次のインキの組み合わせのいずれかで印刷する。
▲１▼第１及び第２の万線画線は、互いに異なると共に基材の色とも異なる有色インキで印刷される。
▲２▼第１及び第２の万線画線は、互いに異なると共に基材の色とも異なる有色発光インキで印刷される。
▲３▼第１及び第２の万線画線は、その一方が無色透明の発光インキで印刷される。
▲４▼第１及び第２の万線画線は、互いに無色透明の異なる発光色のインキで印刷される。
▲５▼万線画線を無色透明な発光インキで印刷する場合は、その万線画線の上又は下に地紋を印刷してもよい。
【００８５】
なお、上記実施例１〜１２では、上記第１の万線画線と上記第２の万線画線は、夫々次のいずれかの印刷パターンにより印刷されている。
▲１▼連続的に色を変化させて印刷されているパターン。
▲２▼部分的に色を変化させて印刷されているパターン。
▲３▼部分的に色を変化させて印刷されている場合で、各色ごとにその色に相当する領域のみからなる部分版に着肉したものを同一の集合版に集合した後に、すべてのインキを同時に印刷版面に転移させて、部分的に色を変化させて印刷されているパターン。
【００８６】
次の実施例１３〜２４はいずれも、基材には凹版印刷により第１及び第２の図柄を表した模様の凹版印刷隆起画線が夫々互いに直交する方向に形成されており、第１及び第２の印刷画線として万線状に配列された点列を印刷した例である。
【００８７】
実施例１３〜２４はいずれも、次の基本的な構成、特徴を共通して備えている。
（１）基材上に第１の方向に沿って伸びるように形成され、部分的に角度を異にすることによって第１の図柄を表した万線模様、レリーフ模様、又は万線模様とレリーフ模様の双方の模様と、上記基材上に上記第１の方向と異なる第２の方向に沿って伸びるように形成され、部分的に角度を異にすることによって第２の図柄を表した万線模様、レリーフ模様、又は万線模様とレリーフ模様の双方の模様を構成する画線が、凹版版面で基材と同色又は近似色で隆起して印刷された凹版印刷隆起画線とを備えている。
【００８８】
（２）上記凹版印刷隆起画線の形成された上記基材上に、該第１の図柄を表した模様の凹版印刷隆起画線に対して平行又は傾斜を持たせて印刷された万線状に配列された点列から成る第１の印刷画線と、上記第２の凹版印刷隆起画線の形成された上記基材上に、該第２の図柄を表した模様の凹版印刷隆起画線に対して平行又は傾斜を持たせて印刷された万線状に配列された点列から成る第２の印刷画線とを備えている。
【００８９】
（３）上記基材を、正面から観察すると第１及び第２の万線状に配列された点列しか認識できないが、上記第１の方向と直交した方向又はその逆方向から斜めに観察すると第１の潜像模様を認識することができ、上記基材を、上記第２の方向と直交した方向又はその逆方向から斜めに観察すると第２の潜像模様を認識することができる。
【００９０】
（実施例１３）
実施例１３の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。図１５（ｂ）は、互いに直交し、万線状に配列された点列から成る格子状の第１及び第２の印刷画線を示しており、この第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が認識できる。
【００９１】
実施例１３において、上記第１及び第２の図柄は、互いに異なる２種類の図柄とすれば（図１１（ｃ）参照。）、基材の上下左右から斜めに観察することによって、互いに異なる２種類の潜像模様が認識できる。
【００９２】
実施例１３の第１及び第２の印刷画線は、夫々次のインキの組み合わせのいずれかで印刷する。
▲１▼第１及び第２の印刷画線は、共に基材の色と異なる有色インキで印刷される。
▲２▼第１及び第２の印刷画線は、共に基材の色と異なる有色発光インキで印刷される。
▲３▼第１及び第２の印刷画線は、無色透明の発光インキで印刷される。
▲４▼印刷画線を無色透明な発光インキで印刷する場合は、その印刷画線の上又は下に地紋を印刷してもよい。
【００９３】
（実施例１４）
実施例１４の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点の粗密で図柄を表す点列から成る第１及び第２の印刷画線（図１８参照。）は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が認識できる。
【００９４】
実施例１４において、上記第１及び第２の図柄は、互いに異なる２種類の図柄とすれば（図１１（ｃ）参照。）、基材の上下左右から斜めに観察することによって、互いに異なる２種類の潜像模様が認識できる。
【００９５】
実施例１４の第１及び第２の印刷画線は、夫々次のインキの組み合わせのいずれかで印刷する。
▲１▼第１及び第２の印刷画線は、共に基材の色と異なる有色インキで印刷される。
▲２▼第１及び第２の印刷画線は、共に基材の色と異なる有色発光インキで印刷される。
▲３▼第１及び第２の印刷画線は、無色透明の発光インキで印刷される。
▲４▼印刷画線を無色透明な発光インキで印刷する場合は、その印刷画線の上又は下に地紋を印刷してもよい。
【００９６】
（実施例１５）
実施例１５の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点の大小で図柄を表す点列から成る第１及び第２の印刷画線（図１９参照。）は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が認識できる。
【００９７】
実施例１５において、上記第１及び第２の図柄は、互いに異なる２種類の図柄とすれば（図１１（ｃ）参照。）、基材の上下左右から斜めに観察することによって、互いに異なる２種類の潜像模様が認識できる。
【００９８】
実施例１５の第１及び第２の印刷画線は、夫々次のインキの組み合わせのいずれかで印刷する。
▲１▼第１及び第２の印刷画線は、共に基材の色と異なる有色インキで印刷される。
▲２▼第１及び第２の印刷画線は、共に基材の色と異なる有色発光インキで印刷される。
▲３▼第１及び第２の印刷画線は、無色透明の発光インキで印刷される。
▲４▼印刷画線を無色透明な発光インキで印刷する場合は、その印刷画線の上又は下に地紋を印刷してもよい。
【００９９】
（実施例１６）
実施例１６の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点の粗密及び大小で図柄を表す点列から成る第１及び第２の印刷画線（図２０参照。）は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が認識できる。
【０１００】
実施例１６において、上記第１及び第２の図柄は、互いに異なる２種類の図柄とすれば（図１１（ｃ）参照。）、基材の上下左右から斜めに観察することによって、互いに異なる２種類の潜像模様が認識できる。
【０１０１】
実施例１６の第１及び第２の印刷画線は、夫々次のインキの組み合わせのいずれかで印刷する。
▲１▼第１及び第２の印刷画線は、共に基材の色と異なる有色インキで印刷される。
▲２▼第１及び第２の印刷画線は、共に基材の色と異なる有色発光インキで印刷される。
▲３▼第１及び第２の印刷画線は、無色透明の発光インキで印刷される。
▲４▼印刷画線を無色透明な発光インキで印刷する場合は、その印刷画線の上又は下に地紋を印刷してもよい。
【０１０２】
（実施例１７）
実施例１７の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点の粗密、大小、又は粗密及び大小で図柄を表す点列から成り、上記粗密、大小、又は粗密及び大小の状態が段階的に変化された第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が認識できる。
【０１０３】
実施例１７において、上記第１及び第２の図柄は、互いに異なる２種類の図柄とすれば（図１１（ｃ）参照。）、基材の上下左右から斜めに観察することによって、互いに異なる２種類の潜像模様が認識できる。
【０１０４】
実施例１７の第１及び第２の印刷画線は、夫々次のインキの組み合わせのいずれかで印刷する。
▲１▼第１及び第２の印刷画線は、共に基材の色と異なる有色インキで印刷される。
▲２▼第１及び第２の印刷画線は、共に基材の色と異なる有色発光インキで印刷される。
▲３▼第１及び第２の印刷画線は、無色透明の発光インキで印刷される。
▲４▼印刷画線を無色透明な発光インキで印刷する場合は、その印刷画線の上又は下に地紋を印刷してもよい。
【０１０５】
（実施例１８）
実施例１８の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点の粗密、大小、又は粗密及び大小で図柄を表す点列から成り、上記粗密、大小、又は粗密及び大小の状態が連続的に変化された第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が認識できる。
【０１０６】
実施例１８において、上記第１及び第２の図柄は、互いに異なる２種類の図柄とすれば（図１１（ｃ）参照。）、基材の上下左右から斜めに観察することによって、互いに異なる２種類の潜像模様が認識できる。
【０１０７】
実施例１８の第１及び第２の印刷画線は、夫々次のインキの組み合わせのいずれかで印刷する。
▲１▼第１及び第２の印刷画線は、共に基材の色と異なる有色インキで印刷される。
▲２▼第１及び第２の印刷画線は、共に基材の色と異なる有色発光インキで印刷される。
▲３▼第１及び第２の印刷画線は、無色透明の発光インキで印刷される。
▲４▼印刷画線を無色透明な発光インキで印刷する場合は、その印刷画線の上又は下に地紋を印刷してもよい。
【０１０８】
（実施例１９）
実施例１９の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点列から成る第１及び第２の印刷画線（図１５（ｂ）参照。）は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【０１０９】
実施例１９において、上記第１及び第２の図柄は、互いに異なる２種類の図柄とすれば（図１１（ｃ）参照。）、基材の上下左右から斜めに観察することによって、互いに異なる２種類の潜像模様が異なった色で認識できる。
【０１１０】
実施例１９の第１及び第２の印刷画線は、夫々次のインキの組み合わせのいずれかで印刷する。
▲１▼第１及び第２の印刷画線は、互いに異なると共に基材の色とも異なる有色インキで印刷される。
▲２▼第１及び第２の印刷画線は、互いに異なると共に基材の色とも異なる有色発光インキで印刷される。
▲３▼第１及び第２の印刷画線は、その一方が無色透明の発光インキで印刷される。
▲４▼第１及び第２の万線画線は、互いに無色透明の異なる発光色のインキで印刷される。
▲５▼印刷画線を無色透明な発光インキで印刷する場合は、その印刷画線の上又は下に地紋を印刷してもよい。
【０１１１】
（実施例２０）
実施例２０の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。図１８に示すように（万線状の点列の形状を示すために一方向の万線状の点列２１しか示さないが、実際は、第１及び第２の万線状の点列は図１５（ｂ）に示すように格子状に印刷される。以下の万線状の点列についても同じ。）、万線状に配列された点の粗密で図柄を表す点列２１から成る第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【０１１２】
実施例２０において、上記第１及び第２の図柄は、互いに異なる２種類の図柄とすれば（図１１（ｃ）参照。）、基材の上下左右から斜めに観察することによって、互いに異なる２種類の潜像模様が異なった色で認識できる。
【０１１３】
実施例２０の第１及び第２の印刷画線は、夫々次のインキの組み合わせのいずれかで印刷する。
▲１▼第１及び第２の印刷画線は、互いに異なると共に基材の色とも異なる有色インキで印刷される。
▲２▼第１及び第２の印刷画線は、互いに異なると共に基材の色とも異なる有色発光インキで印刷される。
▲３▼第１及び第２の印刷画線は、その一方が無色透明の発光インキで印刷される。
▲４▼第１及び第２の万線画線は、互いに無色透明の異なる発光色のインキで印刷される。
▲５▼印刷画線を無色透明な発光インキで印刷する場合は、その印刷画線の上又は下に地紋を印刷してもよい。
【０１１４】
（実施例２１）
実施例２１の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。図１９に示すように、万線状に配列された点の大小で図柄を表す点列２２から成る第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【０１１５】
実施例２１において、上記第１及び第２の図柄は、互いに異なる２種類の図柄とすれば（図１１（ｃ）参照。）、基材の上下左右から斜めに観察することによって、互いに異なる２種類の潜像模様が異なった色で認識できる。
【０１１６】
実施例２１の第１及び第２の印刷画線は、夫々次のインキの組み合わせのいずれかで印刷する。
▲１▼第１及び第２の印刷画線は、互いに異なると共に基材の色とも異なる有色インキで印刷される。
▲２▼第１及び第２の印刷画線は、互いに異なると共に基材の色とも異なる有色発光インキで印刷される。
▲３▼第１及び第２の印刷画線は、その一方が無色透明の発光インキで印刷される。
▲４▼第１及び第２の万線画線は、互いに無色透明の異なる発光色のインキで印刷される。
▲５▼印刷画線を無色透明な発光インキで印刷する場合は、その印刷画線の上又は下に地紋を印刷してもよい。
【０１１７】
（実施例２２）
実施例２２の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。図２０に示すように、万線状に配列された点の粗密及び大小で図柄を表す点列２３から成る第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【０１１８】
実施例２２において、上記第１及び第２の図柄は、互いに異なる２種類の図柄とすれば（図１１（ｃ）参照。）、基材の上下左右から斜めに観察することによって、互いに異なる２種類の潜像模様が異なった色で認識できる。
【０１１９】
実施例２２の第１及び第２の印刷画線は、夫々次のインキの組み合わせのいずれかで印刷する。
▲１▼第１及び第２の印刷画線は、互いに異なると共に基材の色とも異なる有色インキで印刷される。
▲２▼第１及び第２の印刷画線は、互いに異なると共に基材の色とも異なる有色発光インキで印刷される。
▲３▼第１及び第２の印刷画線は、その一方が無色透明の発光インキで印刷される。
▲４▼第１及び第２の万線画線は、互いに無色透明の異なる発光色のインキで印刷される。
▲５▼印刷画線を無色透明な発光インキで印刷する場合は、その印刷画線の上又は下に地紋を印刷してもよい。
【０１２０】
（実施例２３）
実施例２３の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点の粗密、大小、又は粗密及び大小で図柄を表す点列から成り、上記粗密、大小、又は粗密及び大小の状態が段階的に変化された第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【０１２１】
実施例２３において、上記第１及び第２の図柄は、互いに異なる２種類の図柄とすれば（図１１（ｃ）参照。）、基材の上下左右から斜めに観察することによって、互いに異なる２種類の潜像模様が異なった色で認識できる。
【０１２２】
実施例２３の第１及び第２の印刷画線は、夫々次のインキの組み合わせのいずれかで印刷する。
▲１▼第１及び第２の印刷画線は、互いに異なると共に基材の色とも異なる有色インキで印刷される。
▲２▼第１及び第２の印刷画線は、互いに異なると共に基材の色とも異なる有色発光インキで印刷される。
▲３▼第１及び第２の印刷画線は、その一方が無色透明の発光インキで印刷される。
▲４▼第１及び第２の万線画線は、互いに無色透明の異なる発光色のインキで印刷される。
▲５▼印刷画線を無色透明な発光インキで印刷する場合は、その印刷画線の上又は下に地紋を印刷してもよい。
【０１２３】
（実施例２４）
実施例２４の特殊潜像模様形成体では、基材に形成された第１及び第２の図柄を表した模様の凹版印刷隆起画線は、互いに直交するように構成されており、しかも部分的に角度を異にすることによって表した第１及び第２の図柄は、互いに同一図柄である（図１１（ｂ）参照。）。万線状に配列された点の粗密、大小、又は粗密及び大小で図柄を表す点列から成り、上記粗密、大小、又は粗密及び大小の状態が連続的に変化された第１及び第２の印刷画線は、夫々第１及び第２の図柄を表した模様の凹版印刷隆起画線に対してピッチが近似し、しかも平行又は傾斜を持たせて印刷することによって、基材の上下左右から（上下方向を第１の観察方向とすると左右方向は第２の観察方向である。）斜めに観察することによって、同一の潜像模様が異なった色で認識できる。
【０１２４】
実施例２４において、上記第１及び第２の図柄は、互いに異なる２種類の図柄とすれば（図１１（ｃ）参照。）、基材の上下左右から斜めに観察することによって、互いに異なる２種類の潜像模様が異なった色で認識できる。
【０１２５】
実施例２４の第１及び第２の印刷画線は、夫々次のインキの組み合わせのいずれかで印刷する。
▲１▼第１及び第２の印刷画線は、互いに異なると共に基材の色とも異なる有色インキで印刷される。
▲２▼第１及び第２の印刷画線は、互いに異なると共に基材の色とも異なる有色発光インキで印刷される。
▲３▼第１及び第２の印刷画線は、その一方が無色透明の発光インキで印刷される。
▲４▼第１及び第２の万線画線は、互いに無色透明の異なる発光色のインキで印刷される。
▲５▼印刷画線を無色透明な発光インキで印刷する場合は、その印刷画線の上又は下に地紋を印刷してもよい。
【０１２６】
なお、上記実施例１３〜２４では、上記第１の印刷画線と上記第２の印刷画線は、夫々次のいずれかの印刷パターンにより印刷されている。
▲１▼連続的に色を変化させて印刷されているパターン。
▲２▼部分的に色を変化させて印刷されているパターン。
▲３▼部分的に色を変化させて印刷されている場合で、各色ごとにその色に相当する領域のみからなる部分版に着肉したものを同一の集合版に集合した後に、すべてのインキを同時に印刷版面に転移させて、部分的に色を変化させて印刷されているパターン。
【０１２７】
以上、本発明の実施の形態を実施例に基づいて説明したが、本発明は、上記実施例に限定されることなく、特許請求の範囲記載の技術的事項の範囲内でいろいろな実施の形態があることは言うまでもない。
【０１２８】
【発明の効果】
本発明に係る特殊潜像模様形成体は、以上のような構成であるから、上下、左右等互いに異なる方向から斜めに観察すると、観察する方向によって同じ又は異なる図柄、色の潜像模様が認識でき、凹版印刷隆起画線と交差する印刷画線の形状、デザイン、色彩等をいろいろと工夫することにより、斜めに観察した場合に生じる特殊潜像模様に階調を付与させる等、多様化させて、真偽判別機能を高めるとともに、偽造、変造、改ざん等しにくくし、偽造防止効果を高めることができる。
【０１２９】
又、本発明に係る特殊潜像模様形成体は、公共性及び信頼性が要求される貴重印刷製品、例えば銀行券、パスポート、有価証券、カードなどの真偽の判別に際して、ある特定の方向から観察する時にのみ、特定の文字、図柄などを形成し、かつ極めて容易に特定の文字、図柄などの有無が認識できる特殊潜像模様形成体を提供する。
【０１３０】
さらに、本発明に係る特殊潜像模様形成体は、カラー複写機及び写真製版法による偽造では、凹凸形状の抽出ができず有色の印刷画線しか複製できないため、ある特定の方向から観察する時にのみに現れる、特定の文字、図柄などは認識ができない。
【０１３１】
このようにして、本発明に係る特殊潜像模様形成体は、隆起した画線、万線画線などを印刷機上で精度よく刷り合わせることによって高品質な潜像印刷物が作製でき、精密で複雑な模様を組み込んだ潜像印刷物が作製できる。
【０１３２】
また、この潜像模様形成体は、印刷画線に潜像となる図柄とは異なる有意性のある図柄を付与できるために印刷画線に制約がなく、また、同一領域に異なる潜像の画像を付与できるため、印刷面積の限られる貴重印刷製品、例えば銀行券、パスポート、有価証券、カードなどへの利用にきわめて有効である。
【図面の簡単な説明】
【図１】従来技術を説明する図である。
【図２】従来技術を説明する図である。
【図３】従来技術を説明する図である。
【図４】従来技術を説明する図である。
【図５】従来技術を説明する図である。
【図６】本発明の構成、作用を説明する図である。
【図７】本発明の構成、作用を説明する図である。
【図８】本発明の構成、作用を説明する図である。
【図９】本発明の構成、作用を説明する図である。
【図１０】本発明の構成、作用を説明する図である。
【図１１】本発明の凹版印刷隆起画線を説明する図であり、かつ実施例１〜２４を説明する図である。
【図１２】本発明の構成、作用を説明する図である。
【図１３】本発明の構成、作用を説明する図である。
【図１４】本発明の構成、作用を説明する図である。
【図１５】本発明の実施例１、２、１３、１９、２０等を説明する図である。
【図１６】本発明の実施例２、５、８、１１等を説明する図である。
【図１７】本発明の実施例３、６、９、１２等を説明する図である。
【図１８】本発明の実施例１１、２０等を説明する図である。
【図１９】本発明の実施例１５、２１等を説明する図である。
【図２０】本発明の実施例１６、２２等を説明する図である。
【符号の説明】
１    万線模様
２    万線画線
３    レリーフ模様
４    紙
５    基材
６    部分的に角度の異なる部分
７、７’    凹版印刷隆起画線
８    平坦面
９    凸条
１０、１０’、１９、２０    万線画線
--    １３    部分的に角度の異なる部分以外の部分
１４    インキ
１５    凹版印刷隆起画線と交差する万線画線の見えない交差部
１６    凹版印刷隆起画線で隠れて見えない万線画線の部分
１７    潜像模様
１８    潜像模様形成体
２１、２２、２３    万線状の点列
【図１】
0004576596.tif 000002
【図２】
0004576596.tif 000003
【図３】
0004576596.tif 000004
【図４】
0004576596.tif 000005
【図５】
0004576596.tif 000006
【図６】
0004576596.tif 000007
【図７】
0004576596.tif 000008
【図８】
0004576596.tif 000009
【図９】
0004576596.tif 000010
【図１０】
0004576596.tif 000011
【図１１】
0004576596.tif 000012
【図１２】
0004576596.tif 000013
【図１３】
0004576596.tif 000014
【図１４】
0004576596.tif 000015
【図１５】
0004576596.tif 000016
【図１６】
0004576596.tif 000017
【図１７】
0004576596.tif 000018
【図１８】
0004576596.tif 000019
【図１９】
0004576596.tif 000020
【図２０】
0004576596.tif 000021